(57)【要約】【課題】魚を投入口からスムーズに誘導して安全且確実に容器内へ投入できる釣り用魚入れ容器の提供を目的としている。【解決手段】本発明の釣り用魚入れ容器１は、その長手方向の一端側が回動可能に支持されて閉塞方向に付勢される閉塞板３を有する投入口４を備える。閉塞板３は、その長手方向の少なくとも一部の上面が略全体にわたって左右両側から中央側に向けて凹状に傾斜する傾斜面３ａを有している。【選択図】図１
2010226990.tif 000002
【特許請求の範囲】
【請求項１】
一端側が回動可能に支持され他端側が開放される開放端となって閉塞方向に付勢される閉塞板を有する投入口を設けた釣り用魚入れ容器において、
前記閉塞板は、少なくとも他端側の上面が略全体にわたって左右両側から中央側に向けて凹状に傾斜する傾斜面を有することを特徴とする釣り用魚入れ容器。
【請求項２】
前記傾斜面が前記閉塞板の開放端まで延在していることを特徴とする請求項１に記載の釣り用魚入れ容器。
【請求項３】
閉塞板の開放端と対向する前記投入口の部分には、投入口の開口が魚入れ容器の内方に向かって広がるように傾斜面が形成されていることを特徴とする請求項１または請求項２に記載の釣り用魚入れ容器。
【発明の詳細な説明】
【技術分野】
【０００１】
本発明は、魚を入れるための釣り用魚入れ容器に関する。
【背景技術】
【０００２】
従来から、おとり缶や引き舟などの釣り用魚入れ容器には、一般に、容器内に魚を入れるための投入口に、閉塞方向に付勢された閉塞板が設けられている。そのような釣り用魚入れ容器において、投入口から魚を容器内に投入する場合には、魚を掴んだまま閉塞板に押し当てて、閉塞板を開けながら魚を投入する。
【０００３】
しかしながら、魚を閉塞板に押し当てながら投入すると、魚が閉塞板の上を滑って思わぬ方向を向いてしまうことがあり、魚が投入口から逸れて逃げてしまう場合がある。
【０００４】
そのため、一対の閉塞板を投入口の左右に開く観音開きの形態で設け、左右両側の閉塞板の合わせ目部分に落とし込み用の窪みを形成した魚入れ容器が提案されている（例えば、特許文献１および特許文献２参照）
【先行技術文献】
【特許文献】
【０００５】
【特許文献１】実開平７−１７０７７号
【特許文献２】特開平８−２３８５０号
【発明の概要】
【発明が解決しようとする課題】
【０００６】
しかしながら、投入口の大きさに対して小さい窪みを閉塞板の合わせ目部分に沿って設けただけでは、魚を投入口のいたる場所から観音開きの開口へと確実に誘導できるとは限らず、窪みに合わせて魚を正確に押し当てなければ、結局のところ、魚が閉塞板の上を滑って思わぬ方向を向いてしまう可能性が依然として残る。
【０００７】
本発明は前記事情に着目してなされたものであり、その目的とするところは、魚を投入口からスムーズに誘導して安全且確実に容器内へ投入できる釣り用魚入れ容器を提供することにある。
【課題を解決するための手段】
【０００８】
前記課題を解決するために、請求項１に記載された発明は、一端側が回動可能に支持され他端側が開放される開放端となって閉塞方向に付勢される閉塞板を有する投入口を設けた釣り用魚入れ容器において、前記閉塞板は、少なくとも他端側の上面が略全体にわたって左右両側から中央側に向けて凹状に傾斜する傾斜面を有することを特徴とする。
【０００９】
この請求項１に記載の釣り用魚入れ容器によれば、一部の従来技術のように閉塞板上面の中央部の一部だけに窪みを設けるのではなく、閉塞板の少なくとも開放端側の上面が略全体にわたって左右両側から中央側に向けて凹状に傾斜する傾斜面を有するため、この傾斜面によって魚を閉塞板の左右方向の中央側へとスムーズに且つ確実に誘導でき、魚を投入口から安全に容器内に投入することができる。また、上記構成において、閉塞板は、一部の従来技術のような左右の観音開きではなく、前後方向の一端側が回動可能に支持されているため、閉塞板の左右方向の中央側へ誘導された魚をそのまま開放端方向に滑り込ませて閉塞板の開放端から容器内へ投入することができる。すなわち、魚を投入口からスムーズに投入できる。
【００１０】
なお、上記構成において、閉塞板の「前後方向」とは、投入口に設けた閉塞板の回動端部から開放端の方向で魚を差し入れる方向を意味し、また、「左右」とは閉塞板の前後方向に対して直交する方向を意味し、また、「中央」とは左右方向での投入口の略中間位置のことである。また、「凹状」とは、直線状の凹状形態および湾曲状の凹状形態の両方を含む。
【００１１】
また、請求項２に記載された釣り用魚入れ容器は、請求項１に記載された釣り用魚入れ容器において、前記傾斜面が前記閉塞板の開放端まで延在していることを特徴とする。
【００１２】
この請求項２に記載の釣り用魚入れ容器によれば、請求項１と同様の作用効果が得られるとともに、閉塞板上面の傾斜面を閉塞板の開放端まで延長して形成しているため、閉塞板の開放端側に魚を誘導してスムーズに容器内に投入することができる。
【００１３】
なお、上記構成において、「開放端」とは、閉塞板の前後方向両側の端部のうち、回動可能に支持される支持端部と反対側の端部のことである。
【００１４】
また、請求項３に記載された釣り用魚入れ容器は、請求項１または請求項２に記載された釣り用魚入れ容器において、閉塞板の開放端と対向する前記投入口の部分に、投入口の開口が魚入れ容器の内方に向かって広がるように傾斜面が形成されていることを特徴とする。
【００１５】
この請求項３に記載の釣り用魚入れ容器によれば、請求項１または請求項２と同様の作用効果が得られるとともに、閉塞板の開放端と対向する投入口の部分が該投入口の開口を魚入れ容器の内方に向けて広げるように傾斜する傾斜面として形成されているため、閉塞板の開放端側に誘導された魚をこの傾斜面に当てて（傾斜面に沿わせて）容器内へとスムーズに誘導（投入）することができる。
【発明の効果】
【００１６】
本発明によれば、魚を投入口からスムーズに誘導して安全且確実に容器内へ投入できる釣り用魚入れ容器を提供することができる。
【図面の簡単な説明】
【００１７】
【図１】本発明の第１の実施形態に係る釣り用魚入れ容器の斜視図である。
【図２】図１の釣り用魚入れ容器の要部縦断面図である。
【図３】図１の釣り用魚入れ容器の要部平面図である。
【図４】図３のＡ−Ａに沿う横断面図である。
【図５】本発明の第２の実施形態に係る釣り用魚入れ容器の図４と同じ方向での横断面図である。
【図６】本発明の第３の実施形態に係る釣り用魚入れ容器の要部縦断面図である。
【図７】本発明の第４の実施形態に係る釣り用魚入れ容器の図４と同じ方向での横断面図である。
【図８】本発明の第５の実施形態に係る釣り用魚入れ容器の図４と同じ方向での横断面図である。
【発明を実施するための形態】
【００１８】
以下、本発明に係る釣り用魚入れ容器の実施形態について、添付図面を参照して説明する。
図１〜図４には本発明の第１の実施形態に係る釣り用魚入れ容器１が示されている。本実施形態の釣り用魚入れ容器１は引き舟として構成されている。この引き舟は、釣り上げた魚を生きたままで泳がせながら収納しておくもので、渓流中に浮かべて使用されるものである。引き舟の船首側面に設けた通水孔を通じて流水が容器内部に入るとともに循環して容器から流出し、絶えず船内の水を更新して内部に収納された魚が弱らないように保持しておくようになっている。
【００１９】
図示のように、引き舟としての釣り用魚入れ容器１は容器本体２を備えている。容器本体２は、上面部２ａと、底面部２ｂと、前面部２ｃと、側面部２ｄと、後面部２ｅとを有しており、魚を収納するための収納部Ｓを内部に形成している。容器本体２の前側（船首側）の上面部２ａには、容器内の魚を取り出すための魚取り出し口５が形成されており、この魚取り出し口５には、蓋体１２が、魚取り出し口５の後側（船尾側）に設けられたヒンジ６によって開閉可能に蝶着されている。そして、蓋体１２は、その前端に設けられた操作体８の係止部８ａを容器本体２の前面部２ｃの内面の係止溝に係脱可能に係止させることにより、容器本体２に取着され、魚取り出し口５を閉塞するようになっている。なお、図２には、操作体８の係止部８ａを容器本体２から外して魚取り出し口５を開放させた状態が二点鎖線で示されている。
【００２０】
容器本体２の上面部２ａおよび前面部２ｃには浮き体７が取り付けられており、これらの浮き体７は容器本体２を安定的に浮かせるようになっている。容器本体２の前側（船首側）の側面部２ｄには複数個の通水孔１１が穿設されており、これらの通水孔１１を通じて流水が容器内部に入るとともに循環して容器から流出し、絶えず容器本体２内の水を更新できるようなっている。
【００２１】
なお、容器本体２の前面部２ｃ（船首）にはロープ９が取り付けられており、釣りの間中、釣り人がロープ９を引っ張って釣り用魚入れ容器１を流水中に漂わさせるようになっている。また、ロープ９の基部には、吊り下げ用のハンドル１０が設けられている。
【００２２】
蓋体１２には、船首、船尾方向の引き舟の前後方向を長手方向とする略楕円形の投入口４が形成されており、この投入口４には一対の閉塞板３，３が開閉可能に設けられている。具体的に、これらの閉塞板３，３は、投入口４の前側（船首側）に設けられたヒンジ（回動部としての蝶番）１５によってその長手方向（前後方向）の一端（前端）側にある回動端部２９が回動可能（開閉可能）に蝶着支持されており、ヒンジ１５を中心にその長手方向の他端（後端）側の開放端１９を収納部Ｓ内へ向けて下向きに開放させることができるようになっている。
【００２３】
また、閉塞板３，３は閉塞方向に付勢されている。具体的には、閉塞板３，３の回動端部２９が、ヒンジ１５の回動軸部に巻装された付勢手段としてのバネ３５によって常時閉じる方向（上向き）へ付勢されている。
【００２４】
また、本実施形態において、閉塞板３，３は、その前後方向の少なくとも一部の上面が略全体にわたって左右両側（左右両端）から中央側に向けて凹状に傾斜する傾斜面３ａを有している。このような傾斜面３ａは、閉塞板３，３の上面の前後方向全体にわたって（すなわち、閉塞板３，３の上面の全体にわたって）設けられることが好ましいが、閉塞板３，３における投入口４の前後方向（投入口４に設けた閉塞板３，３の回動端部２９から開放端１９の方向）の中間位置Ｌ１よりも後方側（開放端１９側）に投入口４の最大幅部（左右方向の寸法が最大の部分）を設け、投入口４のうち魚を収納部Ｓ内に落し込む側となる少なくともこの後方側の投入口４内側の上面の略全体に傾斜面３ａが設けられていればよい。
【００２５】
図４に明確に示されるように、傾斜面３ａは、閉塞板３の左右両端である投入口内側縁部（側端部）３９から投入口４の左右方向の中央位置Ｌ３にある中央部４９へ向けて収納部Ｓ内方へと下向きに凹状に延びる湾曲線Ｃを描くように形成されている。更に、傾斜面３ａは、図２に明確に示されるように、閉塞板３，３の回動端部２９近傍に形成され且つ収納部Ｓ側から投入口４内へと略垂直に立ち上がる立ち上がり部２０を起点として開放端１９まで下向きに傾斜して延在している。なお、図中、Ｌ２は、船体である容器本体２が水面と交わる喫水線である。
【００２６】
また、本実施形態において、閉塞板３，３の開放端１９と対向する投入口４の開口縁部分、具体的には、容器本体２の上面部２ａの投入口４を形成する開口縁に沿って形成された収納部Ｓに向かう壁部には、投入口４の開口が魚入れ容器の内方（収納部Ｓ内）に向かって広がるように傾斜面２２が形成されている。この場合、傾斜面２２の上縁部２３は、上面部２ａよりも上方に鍔状に突き出て形成されており、傾斜面２２の延在長さを稼いでいる。閉塞板３，３の開放端１９は上記傾斜面２２に当接して投入口４を閉塞している。
【００２７】
以上説明したように、本実施形態の釣り用魚入れ容器１は、閉塞板３，３の長手方向の少なくとも一部の上面が略全体にわたって左右両側から中央側に向けて凹状に傾斜する傾斜面３ａを有するため、この傾斜面３ａによって閉塞板３，３の上面に開放端１９側に頭を向けて当てがった魚を閉塞板３，３の左右方向の中央側へとスムーズに且つ確実に誘導でき、魚を投入口４から安全に容器内に投入することができる。また、本実施形態において、閉塞板３，３は、その前後方向の一端側が回動可能に支持されているため、閉塞板３，３の左右方向の中央側へ誘導された魚をそのまま回動端部２９側から開放端１９まで延設された傾斜面３ａの回動端部２９側から開放端１９方向に下る傾斜面に誘導されて投入口４の後方側の開放端１９方向に進行するように滑り込ませて閉塞板３，３の開放端１９から容器内へ投入することができる。すなわち、魚を投入口４からスムーズに投入できる（魚を閉塞板３，３の回動端部２９側から閉塞板３，３に対して押し当て閉塞板３，３の長手方向に滑り込ませるように閉塞板３，３の開放端１９から収納部Ｓ内へと投入できる）。また、本実施形態では、傾斜面３ａが閉塞板３，３の開放端１９まで延在しているため、閉塞板３，３の開放端１９側に魚を誘導してスムーズに容器内に投入することができる。更に、本実施形態では、閉塞板３，３の開放端１９と対向する投入口４の部分が該投入口４の開口を魚入れ容器の内方に向けて広げるように傾斜する傾斜面２２として形成されているため、閉塞板３，３の開放端１９側に誘導された魚をこの傾斜面２２に当てて（傾斜面２２に沿わせて）容器内へとスムーズに誘導（投入）することができる。
【００２８】
図５は本発明の第２の実施形態を示している。本実施形態に係る釣り用魚入れ容器１Ａでは、閉塞板３，３の左右の周縁部を投入口４内で立ち上げて立ち上がり部５０を形成している。そして、傾斜面３ａは、この立ち上がり部５０から投入口４の左右方向の中央位置Ｌ３にある中央部４９へ向けて収納部Ｓ内方へと下向きに凹状に延びる湾曲線Ｃ１を描くように形成されている。なお、それ以外の構成は第１の実施形態と同一であり、したがって、第１の実施形態と同様の作用効果を有する。
【００２９】
図６は本発明の第３の実施形態を示している。本実施形態に係る釣り用魚入れ容器１Ｂにおいて、投入口４は、その後方側（開放端１９側）がその前方側よりも高くなるように喫水線Ｌ２（水平の基準線）に対して傾斜する傾斜面Ｃ３を描いて形成されている。このように、投入口４を後方に立ち上げて容器本体２の前方（回動端部２９側）に向かうように形成すれば、前方（船首側）から魚を差し込み投入し易くなる。
【００３０】
図７は本発明の第４の実施形態を示している。本実施形態に係る釣り用魚入れ容器１Ｃにおいて、閉塞板３，３の傾斜面３ａは、閉塞板３の投入口内側縁部３９から中央位置Ｌ３にある中央部４９へ向けて収納部Ｓ内方へと下向きにうねりながら凹状に傾斜する波状面Ｃ４を描くように形成されている。また、傾斜面３ａには通水孔６０も形成されている。このように、本発明に係る傾斜面３ａは、うねりや凹凸、孔があっても全体的に傾斜面となっていればよい。
【００３１】
図８は本発明の第５の実施形態を示している。本実施形態に係る釣り用魚入れ容器１Ｄの閉塞板３は、第１ないし第４の実施形態の左右の閉塞板３，３を一体に形成して成る１枚の閉塞板３として構成されている。この場合、閉塞板３の傾斜面３ａは、閉塞板３の左右両側の投入口内側縁部３９から中央位置Ｌ３にある中央部４９へ向けて収納部Ｓ内方へと下向きに直線状の凹状形態で傾斜する平面Ｃ５を描くように形成されている。このように、本発明の閉塞板は一対に限らず、一枚であってもよい。
【００３２】
なお、本発明の釣り用魚入れ容器は引き舟にて説明したが、おとり缶や、釣り用びくに実施することができる。
【符号の説明】
【００３３】
１  釣り用魚入れ容器
３  閉塞板
３ａ  閉塞板の傾斜面
４  投入口
１９  開放端
２２  投入口の傾斜面
【図１】
2010226990.tif 000003
【図２】
2010226990.tif 000004
【図３】
2010226990.tif 000005
【図４】
2010226990.tif 000006
【図５】
2010226990.tif 000007
【図６】
2010226990.tif 000008
【図７】
2010226990.tif 000009
【図８】
2010226990.tif 000010